(57)【要約】【課題】使用水量を低減することができ、しかも使用後の排水を回収することができるウォータージェットシステムを提供する。【解決手段】ウォータージェットシステム１０は、噴射ノズル４８から水を高圧で噴射するウォータージェットガン１６と、圧力調整弁２０で所定圧力に調整した水をウォータージェットガン１６に供給するポンプユニット１２及び圧力調整機器ユニット１４とを備え、ウォータージェットガン１６には、噴射ノズル４８から被噴射面Ｓに対して噴射された水を回収する回収流路６４が形成された洗浄水回収カバー４２が装着され、洗浄水回収カバー４２の回収流路６４には、被噴射面Ｓへと噴射された水を吸引してタンク７６へと供給する吸引装置６８が接続され、圧力調整機器ユニット１４には、吸引装置６８からタンク７６へと供給される水に含まれる油分を除去する油分除去フィルタ７４が設けられる。【選択図】図１
2014014777.tif 000002
【特許請求の範囲】
【請求項１】
先端に備えたノズルヘッドの噴射ノズルから水を高圧で噴射するウォータージェットガンと、
水を貯水するタンク、該タンクに貯水された水を昇圧するポンプ、及び該ポンプによって昇圧された水を所定圧力に調整する圧力調整器を有し、該圧力調整器で所定圧力に調整した水を前記ウォータージェットガンに供給する供給機器と、
を備えるウォータージェットシステムであって、
前記ウォータージェットガンには、前記ノズルヘッドを覆うことにより、前記噴射ノズルから被噴射面に対して噴射された水を回収する回収流路が形成されたカバー部材が装着され、
前記カバー部材の回収流路には、前記噴射ノズルから前記被噴射面へと噴射された水を吸引して前記タンクへと供給する吸引装置が接続され、
前記供給機器には、前記吸引装置から前記タンクへと供給される水に含まれる油分を除去する油分除去フィルタが設けられることを特徴とするウォータージェットシステム。
【請求項２】
請求項１記載のウォータージェットシステムにおいて、
前記カバー部材の先端側には、前記ノズルヘッドよりも大径の凹部が開口形成され、該凹部が前記回収流路に連通していることを特徴とするウォータージェットシステム。
【請求項３】
請求項２記載のウォータージェットシステムにおいて、
前記凹部の周縁部には、前記被噴射面に当接可能なリング部又はリング状のブラシ部が設けられていることを特徴とするウォータージェットシステム。
【請求項４】
請求項１〜３のいずれか１項に記載のウォータージェットシステムにおいて、
前記供給機器は、前記ポンプを搭載したポンプユニットと、
前記タンク、前記圧力調整器、及び前記油分除去フィルタを搭載した圧力調整機器ユニットとを備え、
前記ポンプユニット及び前記圧力調整機器ユニットは、それぞれ単独で移動可能に構成されていることを特徴とするウォータージェットシステム。
【発明の詳細な説明】
【技術分野】
【０００１】
本発明は、高圧の水を噴射して被噴射面を洗浄するためのウォータージェットシステムに関する。
【背景技術】
【０００２】
水を数ＭＰａ以上の高圧で噴射することで被噴射面（被洗浄面）に付着した汚れやごみ等の被除去物を除去するウォータージェットシステムが各種の洗浄・除去作業に用いられている。ウォータージェットシステムは、建物の外壁の洗浄等だけでなく、アスベスト除去作業や、原子力施設から漏洩した放射性物質の除染に対しても用いられることがある。
【０００３】
ウォータージェットシステムは、作業者が手で把持して操作するウォータージェットジェットガンを備えたものが一般的であり、ウォータージェットガンとしては、例えば、供給機器に備えたタンクから超高圧ポンプを介して供給される超高圧水を、ガンの先端に装着されたノズルヘッドの噴射ノズルから噴射するものが提案されている（特許文献１参照）。
【先行技術文献】
【特許文献】
【０００４】
【特許文献１】特開２０１１−１７３０６４号公報
【発明の概要】
【発明が解決しようとする課題】
【０００５】
ところで、一般的なウォータージェットシステムでは、噴射時の吐出圧力が数ＭＰａで１分間当たり数十リットルの水を使用するため、上記のような放射性物質の除染等に用いる場合には、次のような問題を生じる可能性がある。すなわち、放射性物質が拡散している除染対象地域では、十分な水の確保が難しく、しかも大量の水を用いることから排水の回収が困難であり、その処理にも膨大な手間と費用がかかる。さらに、除染作業中に超高圧水によって放射性物質が飛散することがあるため、二次汚染を惹起する可能性もある。特に、コンクリートの床面や屋上、アスファルトの路面等には、放射性セシウム等の放射性物質が沈着・浸透しており、その除去には相当量の超高圧水が必要となり、排水量も多くなる。
【０００６】
本発明は、上記従来技術の課題を考慮してなされたものであり、使用水量を低減することができ、しかも使用後の排水を回収することができるウォータージェットシステムを提供することを目的とする。
【課題を解決するための手段】
【０００７】
本発明に係るウォータージェットシステムは、先端に備えたノズルヘッドの噴射ノズルから水を高圧で噴射するウォータージェットガンと、水を貯水するタンク、該タンクに貯水された水を昇圧するポンプ、及び該ポンプによって昇圧された水を所定圧力に調整する圧力調整器を有し、該圧力調整器で所定圧力に調整した水を前記ウォータージェットガンに供給する供給機器とを備えるウォータージェットシステムであって、前記ウォータージェットガンには、前記ノズルヘッドを覆うことにより、前記噴射ノズルから被噴射面に対して噴射された水を回収する回収流路が形成されたカバー部材が装着され、前記カバー部材の回収流路には、前記噴射ノズルから前記被噴射面へと噴射された水を吸引して前記タンクへと供給する吸引装置が接続され、前記供給機器には、前記吸引装置から前記タンクへと供給される水に含まれる油分を除去する油分除去フィルタが設けられることを特徴とする。
【０００８】
このような構成によれば、噴射ノズルから被噴射面に対して噴射された水を回収する回収流路が形成されたカバー部材をウォータージェットガンに装着し、この回収流路に吸引装置を接続したことにより、噴射ノズルから被噴射面へと噴射された水（排水）が周囲に飛散することを防止しつつ、該排水を回収流路を介して吸引・回収してタンクへと戻し、再びポンプから圧力調整器を介してウォータージェットガンへと循環させることができる水の再利用循環サイクルが構築される。従って、システム全体としての使用水量を可及的に低減することができ、さらに、噴射後の排水によって周辺環境が二次汚染を受けることも防止できる。しかも、吸引装置からタンクへと供給される水に含まれる油分は油分除去フィルタで除去されるため、循環される水に含まれる油分量が過度に増加することがなく、各ホースや配管部等での目詰まり等の発生も抑制できる。
【０００９】
前記カバー部材の先端側には、前記ノズルヘッドよりも大径の凹部が開口形成され、該凹部が前記回収流路に連通していると、噴射ノズルから噴射される水の噴射範囲を凹部内の空間に限定することができ、噴射された水の周囲への飛散や噴射時の騒音等が防止され、さらに噴射された排水の回収もより確実に行うことができる。
【００１０】
前記凹部の周縁部には、前記被噴射面に当接可能なリング部又はリング状のブラシ部が設けられていてもよい。
【００１１】
前記供給機器は、前記ポンプを搭載したポンプユニットと、前記タンク、前記圧力調整器、及び前記油分除去フィルタを搭載した圧力調整機器ユニットとを備え、前記ポンプユニット及び前記圧力調整機器ユニットは、それぞれ単独で移動可能に構成されていると、各ユニットを小型・軽量化でき、人手によって各機器を容易に運搬することができるため、エレベータ等の輸送手段も有効に活用してビルの屋上等にもシステムを円滑に運搬することができる。
【発明の効果】
【００１２】
本発明によれば、噴射ノズルから被噴射面に対して噴射された水を回収する回収流路が形成されたカバー部材をウォータージェットガンに装着し、この回収流路に吸引装置を接続したことにより、噴射ノズルから被噴射面へと噴射された水（排水）が周囲に飛散することを防止しつつ、該排水を回収流路を介して吸引・回収してタンクへと戻し、再びポンプから圧力調整器を介してウォータージェットガンへと循環させることができる水の再利用循環サイクルが構築される。従って、システム全体としての使用水量を可及的に低減することができ、さらに、噴射後の排水によって周辺環境が二次汚染を受けることも防止できる。しかも、吸引装置からタンクへと供給される水に含まれる油分は油分除去フィルタで除去されるため、循環される水に含まれる油分量が過度に増加することがなく、各ホースや配管部等での目詰まり等の発生も抑制できる。
【図面の簡単な説明】
【００１３】
【図１】図１は、本発明の一実施形態に係るウォータージェットシステムの全体構成図である。
【図２】図２は、ウォータージェットガンの側面図である。
【図３】図３は、図２に示すウォータージェットガンに装着されたノズルヘッドの構成例を示す図であり、図３（Ａ）は、ノズルヘッドの側面図であり、図３（Ｂ）は、ノズルヘッドの正面図であり、図３（Ｃ）は、ノズルヘッドを上方から見た透過図である。
【図４】図４は、変形例に係るノズルヘッドの側面図である。
【図５】図５は、ノズルヘッドを覆う洗浄水回収カバーを示す図であり、図５（Ａ）は、洗浄水回収カバーの側面図であり、図５（Ｂ）は、洗浄水回収カバーの正面図である。
【図６】図６は、ノズルヘッドに洗浄水回収カバーを装着した状態での一部断面側面図である。
【図７】図７は、変形例に係る洗浄水回収カバーを示す図であり、図７（Ａ）は、洗浄水回収カバーの側面図であり、図７（Ｂ）は、洗浄水回収カバーの正面図である。
【図８】図８は、ポンプユニットの構成例を示す図であり、図８（Ａ）は、ポンプユニットの平面図であり、図８（Ｂ）は、ポンプユニットの正面図である。
【図９】図９は、圧力調整機器ユニットの構成例を示す図であり、図９（Ａ）は、圧力調整機器ユニットの平面図であり、図９（Ｂ）は、圧力調整機器ユニットの正面図である。
【発明を実施するための形態】
【００１４】
以下、本発明に係るウォータージェットシステムについて好適な実施の形態を挙げ、添付の図面を参照しながら詳細に説明する。
【００１５】
図１は、本発明の一実施形態に係るウォータージェットシステム１０の全体構成図である。本実施形態に係るウォータージェットシステム１０は、ポンプユニット１２から圧力調整機器ユニット１４を介して所定の超高圧（例えば、１８０ＭＰａ）に調整された水をウォータージェットガン１６の先端から噴射し、コンクリートの床面や屋上、アスファルトの路面等の被噴射面に付着した汚れや汚染物質等の被除去物を洗浄・除去するための機器である。
【００１６】
図１に示すように、ウォータージェットシステム１０（以下、単に「システム１０」ともいう）は、水を所定圧力まで昇圧する超高圧ポンプ１８を搭載したポンプユニット１２と、ポンプユニット１２で昇圧された水を所定圧力に調整する圧力調整弁２０を搭載した圧力調整機器ユニット１４と、圧力調整機器ユニット１４から供給される超高圧水を外部に向けて噴射するウォータージェットガン１６（以下、単に「ガン１６」ともいう）とを備える。
【００１７】
先ず、ウォータージェットガン１６の構成例について説明する。
【００１８】
図２は、ウォータージェットガン１６の側面図である。
【００１９】
図２に示すように、ガン１６は、本体２２から水平方向に延びる管状の砲身部２４の後端部に超高圧ホース接続口２６を有する。超高圧ホース接続口２６には、ポンプユニット１２から圧力調整機器ユニット１４を介して送り出されてくる水（超高圧水）が流通する超高圧ホース２８が接続される。また、本体２２には、超高圧水噴射のＯＮ・ＯＦＦスイッチとなるレバー３０と、該レバー３０に連動して砲身部２４内の回転軸３１を回転駆動するモータ３２とを備えたグリップ３３が取り付けられている。モータ３２は、例えばエアー導入口３５から導入される高圧エアーによって回転するエアーモータである。図２中の参照符号３６は、作業者が砲身部２４を安定させるための防振ハンドルである。
【００２０】
ガン１６の砲身部２４の先端には、超高圧水を外部に噴射するためのノズルヘッド３８が取り付けられている。ノズルヘッド３８は、砲身部２４の先端側に取り付けられて前方に開口を有するヘッドカバー４０内で回転軸３１に装着されている。これにより、モータ３２によって回転軸３１が回転駆動されると、ノズルヘッド３８がヘッドカバー４０内で回転する。
【００２１】
このようなノズルヘッド３８は、先端に向かって拡径した段付き円筒形状の洗浄水回収カバー（カバー部材）４２によって覆われている。なお、本実施形態のガン１６では、ノズルヘッド３８をヘッドカバー４０内に収納しているため、洗浄水回収カバー４２はヘッドカバー４０の外周面に装着されることになる。
【００２２】
図３は、図２に示すウォータージェットガン１６に装着されたノズルヘッド３８の構成例を示す図であり、図３（Ａ）は、ノズルヘッド３８の側面図であり、図３（Ｂ）は、ノズルヘッド３８の正面図であり、図３（Ｃ）は、ノズルヘッド３８を上方から見た透過図である。
【００２３】
図３（Ａ）〜図３（Ｃ）に示すように、ノズルヘッド３８は、砲身部２４の先端で該砲身部２４内に配置された回転軸３１に装着される装着部４４を備えたメインヘッダ３８ａと、回転軸３１の回転中心軸を含む垂直面Ｘを挟んだメインヘッダ３８ａの左右側面にそれぞれ角度調整機構を介して回動可能に取り付けられた一対のサブヘッダ３８ｂ、３８ｃとから構成される。
【００２４】
メインヘッダ３８ａには、超高圧ホース接続口２６から砲身部２４内の流路（超高圧水供給路）を介して供給される超高圧水を、各サブヘッダ３８ｂ、３８ｃへと流通させる内部流路４６が形成されている（図３（Ｃ）参照）。内部流路４６は、装着部４４の回転軸３１への装着と同時に砲身部２４側の流路と接続される。
【００２５】
サブヘッダ３８ｂ、３８ｃは、それぞれ回転軸３１による回転面と直交する方向、すなわち、垂直面Ｘに沿った方向に回動可能である。サブヘッダ３８ｂ、３８ｃには、超高圧水を噴射するための噴射ノズル４８がそれぞれ１つずつ設けられている。サブヘッダ３８ｂ、３８ｃの全回動範囲にわたって、メインヘッダ３８ａの内部流路４６と各噴射ノズル４８、４８とを連通させる噴射流路５０、５０が形成されている。噴射ノズル４８は、その噴射軸線が回転軸の回転中心軸を含む水平面上で該回転中心軸と平行となる平行噴射型である。
【００２６】
各噴射ノズル４８、４８の口径は、例えば、両方の噴射ノズル４８、４８を０．１５ｍｍ（吐出水量１リットル／分）、０．２ｍｍ（吐出水量２リットル／分）、０．２５ｍｍ（吐出水量３リットル／分）等にした同一口径の構成や、各噴射ノズル４８、４８をそれぞれ０．２ｍｍ、０．３ｍｍ（吐出水量３リットル／分）等にした異口径の構成等、各種サイズの組み合わせとすることができ、このサイズは、除去する汚れの程度や種類等によって適宜選定すればよい。
【００２７】
サブヘッダ３８ｂ、３８ｃを回動させる角度調整機構は、各サブヘッダ３８ｂ、３８ｃの対応位置に設けられ、予め定められた角度間隔にわたって円弧状に延びるスリット形状の２個ずつのボルト孔５２と、該ボルト孔５２を介してサブヘッダ３８ｂ、３８ｃを解除可能にメインヘッダ３８ａにねじ固定するボルト部材５４とで構成される。各ボルト部材５４は、ねじ固定を緩めた状態にて対応するボルト孔５２内をその全幅領域にわたって相対移動可能とするものである。メインヘッダ３８ａに対して位置固定されたボルト部材５４に対してスリット形状のボルト孔５２を移動させることにより、サブヘッダ３８ｂ、３８ｃがメインヘッダ３８ａに対して回動する。そこで、該回動において、噴射ノズル４８が所望の噴射角度に達した時点で相対移動を止め、ボルト部材５４でねじ固定すれば、噴射ノズル４８の噴射角度を固定できる。
【００２８】
ボルト孔５２の円弧状スリット形状の角度間隔は、所望の噴射角度調節範囲に応じたサブヘッダ３８ｂ、３８ｃの回動範囲に相当するもので良い。本実施形態では、図３（Ａ）に示すように、一方のサブヘッダ３８ｂの噴射ノズル４８の噴射角度調整を回転中心軸に対して０〜３０度の仰角度範囲、他方のサブヘッダ３８ｃの噴射ノズル４８の噴射角度調整を回転中心軸に対して０〜３０度の俯角度範囲に設定し、各ボルト孔５２のスリット形状を３０度の角度間隔にわたる円弧状に形成するものとした。
【００２９】
ガン１６に装着するノズルヘッドとしては、メインヘッダ３８ａとサブヘッダ３８ｂ、３８ｃとを備えることにより、噴射ノズル４８の噴射角度を調整可能に構成した上記のノズルヘッド３８以外の構成であっても勿論よい。例えば、図４に示すように、回転軸３１に装着されることで回転可能とされ、噴射ノズル４８の噴射角度を調整不能な固定型としたノズルヘッド５６を用いてもよい。図４から明らかなように、このようにヘッドカバーを実質的に持たないノズルヘッド５６を用いる場合、洗浄水回収カバー４２は、当該ノズルヘッド５６の外周面に装着されることになる。
【００３０】
図５は、ノズルヘッド３８を覆う洗浄水回収カバー４２を示す図であり、図５（Ａ）は、洗浄水回収カバー４２の側面図であり、図５（Ｂ）は、洗浄水回収カバー４２の正面図である。また、図６は、ノズルヘッド３８に洗浄水回収カバー４２を装着した状態での一部断面側面図である。
【００３１】
図５（Ａ）及び図５（Ｂ）に示すように、洗浄水回収カバー４２は、ノズルヘッド３８（５６）が挿入・固定される装着孔５８ａが形成された筒状の基部５８と、基部５８の先端側にテーパ面を介して設けられ、該基部５８より大径に構成されたカバー部６０と、基部５８の外周面から斜め後方に向けて突出した吸引ホース接続部６２とを有する。
【００３２】
基部５８の内部には、基端側から先端側に向けて順に、装着孔５８ａと、該装着孔５８ａより多少大径の回収流路孔５８ｂとが形成されている。図６に示すように、装着孔５８ａ及び回収流路孔５８ｂには、ノズルヘッド３８が挿入され、ヘッドカバー４０の基端側が装着孔５８ａの内周面に密着される。ヘッドカバー４０は、基部５８に対して、図示しない固定リングやボルト等の固定手段やＯリング等のシール部材を用いて固定される。該固定手段によるガン１６（ノズルヘッド３８、５６やヘッドカバー４０）に対する洗浄水回収カバー４２の取付位置は、軸方向で変更・調整可能とされている。これにより、噴射ノズル４８と被噴射面Ｓ（図６参照）との間の距離を適宜変更でき、洗浄作業やはつり作業等に適した距離に容易に設定変更することができる。
【００３３】
一方、ヘッドカバー４０の先端側の外周面は、回収流路孔５８ｂの内周面との間に多少の隙間を介して配置される。該隙間は、図６に示すように、カバー部６０の先端側内面に形成された円形の凹部（回収凹部）６０ａと、吸引ホース接続部６２に形成された流路６２ａとの間を連通し、これら回収用凹部６０ａ及び流路６２ａと共に、噴射ノズル４８から噴射された水（排水。洗浄水）を回収して吸引ホース接続部６２３の先端開口部から外部へと導出する回収流路（吸引流路）６４を構成する。
【００３４】
カバー部６０は、噴射ノズル４８から噴射されて被噴射面Ｓに当たった水の外部への飛散を防止するためのものであり、例えば、金属や樹脂、ゴム等によって構成された略ドーム状のカバーである。カバー部６０は、先端側に開口形成され、ノズルヘッド３８（５６）やヘッドカバー４０よりも大径の凹部６０ａと、軸方向略中央の外周面に設けられた可動部６０ｂとを有する。
【００３５】
凹部６０ａは、基部５８の回収流路孔５８ｂから連続して拡径した内面を有する。凹部６０ａの開口側周縁部には、リング状の先端面（リング部）６０ｃが設けられている。図６に示すように、コンクリート面等の被噴射面Ｓに先端面６０ｃを当接・着地させることにより、噴射ノズル４８から噴射される超高圧水の噴射範囲を凹部６０ａの内側空間に限定することができ、噴射された水の周囲への飛散や、噴射時の騒音等が防止され、作業環境も改善できる。
【００３６】
図５（Ａ）中に２点鎖線で示すように、自在輪等からなるガイドローラ６６を先端面６０ｃ上に設けてもよい。ガイドローラ６６を設けることにより、先端面６０ｃと被噴射面Ｓとの間での滑り抵抗をより低減することができ、作業時の操作性を向上させることができる。
【００３７】
可動部６０ｂは、例えば、ゴムや金属等の蛇腹（ベローズ）によって構成されることで、伸縮自在且つ首振自在に構成される。可動部６０ｂを設けることにより、図５（Ａ）中に２点鎖線で示すように、カバー部６０を所望の方位（全方位）に自由に可動させ、先端面６０ｃを被噴射面Ｓに対して円滑に密着させることが可能となる。例えば、ガン１６を斜め姿勢にした斜め噴射洗浄に対しても、可動部６０ｂによって先端面６０ｃを被噴射面Ｓに対して垂直方向として確実に密着させることができる。
【００３８】
図１に示すように、吸引ホース接続部６２には、吸引装置（吸引ポンプ）６８の吸引口に接続された吸引ホース７０が接続される。吸引装置６８は、噴射ノズル４８から被噴射面Ｓへと噴射された後の排水を回収流路６４を介して吸引し、吐出口に接続された吐出ホース７２から圧力調整機器ユニット１４へと供給するものである。圧力調整機器ユニット１４では、吸引装置６８から供給された排水を油分除去フィルタ７４に通して油分を除去した後、タンク７６に貯水する。吸引装置６８は、圧力調整機器ユニット１４の一構成機器として、後述する台車フレーム１０４に搭載してもよい。
【００３９】
ここで、当該システム１０では、上記のように、噴射ノズル４８から噴射される超高圧水の吐出水量を１分間当たり３リットル以下程度に設定しているため、従来の高圧洗浄機に比べて使用水量が大幅に低減されており、吸引装置６８による排水の吸引回収を一層容易に且つ確実に行うことができるようになっている。
【００４０】
図７は、変形例に係る洗浄水回収カバー８０を示す図であり、図７（Ａ）は、洗浄水回収カバー８０の側面図であり、図７（Ｂ）は、洗浄水回収カバー８０の正面図である。
【００４１】
図７（Ａ）及び図７（Ｂ）に示すように、洗浄水回収カバー８０は、図５に示す洗浄水回収カバー４２と比べて、先端面６０ｃにリング状のブラシ部８１を設けたカバー部８２を備えた点が異なっている。ブラシ部８１は、ナイロン等の樹脂の素線を複数密集させてリング状に形成したものである。ブラシ部８１の素線群の高さを一定に揃えることにより、洗浄水回収カバー４２の場合と略同様に、被噴射面Ｓに該ブラシ部８１の先端を当接・着地させることにより、噴射ノズル４８から噴射される超高圧水の噴射範囲を凹部６０ａの内側空間に限定することができ、噴射された水の周囲への飛散や、噴射時の騒音等が防止される。しかも、ブラシ部８１によって被噴射面Ｓに付着した汚れを掻き出すことができ、より高い洗浄・除去効果を得ることができる。
【００４２】
次に、ウォータージェットガン１６に対して所定の圧力に調整した超高圧水を供給する供給機器（超高圧水供給機器）を構成するポンプユニット１２及び圧力調整機器ユニット１４の構成例について説明する。
【００４３】
図８は、ポンプユニット１２の構成例を示す図であり、図８（Ａ）は、ポンプユニット１２の平面図であり、図８（Ｂ）は、ポンプユニット１２の正面図である。
【００４４】
図１、図８（Ａ）及び図８（Ｂ）に示すように、ポンプユニット１２は、電動モータ８４によって駆動ベルト８６を走行させることにより、給水口８８から供給される水を所定の超高圧まで昇圧する超高圧ポンプ（ポンプ）１８を備え、この超高圧ポンプ１８を車輪９２ａによって移動可能な台車フレーム９２に搭載している。給水口８８には、圧力調整機器ユニット１４のタンク７６に接続された給水ホース９４が接続され（図１参照）、超高圧ポンプ１８で昇圧された水（超高圧水）は、吐出口９６に接続された超高圧ホース９８によって圧力調整機器ユニット１４側へと戻る。
【００４５】
このようなポンプユニット１２は、給水ホース９４と超高圧ホース９８によって圧力調整機器ユニット１４と接続され、これら給水ホース９４及び超高圧ホース９８は、着脱可能な接続具（カプラー等）によって各ユニットに接続される。勿論、ガン１６と圧力調整機器ユニット１４とを接続する超高圧ホース２８や、吸引装置６８とガン１６及び圧力調整機器ユニット１４とを接続する吸引ホース７０及び吐出ホース７２についても同様な着脱可能に構成される。
【００４６】
図９は、圧力調整機器ユニット１４の構成例を示す図であり、図９（Ａ）は、圧力調整機器ユニット１４の平面図であり、図９（Ｂ）は、圧力調整機器ユニット１４の正面図である。
【００４７】
図１、図９（Ａ）及び図９（Ｂ）に示すように、圧力調整機器ユニット１４は、図示しない水道や貯水槽からの給水ホース９９が接続される給水口１００から給水された水を貯水するタンク７６と、ポンプユニット１２の超高圧ポンプ１８で昇圧された超高圧水の圧力を調整する圧力調整弁（圧力調整器）２０とを備え、これら各機器を車輪１０４ａによって移動可能な台車フレーム１０４に搭載している。
【００４８】
給水口１００とタンク７６との間には、給水口１００からタンク７６へと供給される水に含まれる油分を除去するための油分除去フィルタ７４が介在している。タンク７６には、水道や貯水槽からの清浄な水以外にも、吸引装置６８によってガン１６の回収流路６４を経て回収された排水も投入される。一旦、超高圧ポンプ１８を通された水には、該超高圧ポンプ１８の潤滑油等に起因する油分が含まれてしまうため、ガン１６の噴射ノズル４８から噴射される超高圧水にも油分が含まれている。そこで、圧力調整機器ユニット１４では、吸引装置６８によって回収され、給水口１００からタンク７６へと戻される排水中に含まれる油分を油分除去フィルタ７４によって除去できるように構成している。なお、水道や貯水槽から給水される清浄な水には、通常、油分は含まれていないため、これら外部の給水源からの給水は、油分除去フィルタ７４を通さずに直接的にタンク７６に投入する構成とし、吸引装置６８からの排水のみを油分除去フィルタ７４を通す構成としてもよい。
【００４９】
圧力調整弁２０は、高圧水入口１０６に接続された超高圧ホース９８によって超高圧ポンプ１８から供給される超高圧水を所定圧力（例えば、１８０ＭＰａ）に調整し、この圧力調整後の超高圧水を高圧水出口１０８に接続された超高圧ホース２８によってガン１６へと供給する装置である。
【００５０】
圧力調整弁２０は、さらに、配管１１２によってタンク７６とも接続されており、これにより、超高圧ポンプ１８の電源がオンされた状態で、ガン１６に超高圧水を供給しない場合に生じる余剰の超高圧水を減圧してタンク７６へと戻すことができる。従って、圧力調整機器ユニット１４では、従来の圧力調整機器のように、超高圧ポンプ１８の電源がオンされた状態で、ガン１６に超高圧水を供給しない場合に水を常にリリーフ弁から排出して、超高圧水の圧力を開放する必要がなくなるため、消費される水量を大幅に低減することができる。
【００５１】
図９（Ａ）に示すように、タンク７６の側部には、該タンク７６のオーバーフロー用の排水口１１４と、該タンク７６のドレン用の排水口１１６とが設けられている。また、タンク７６の背面側には、操作盤１１８が設置されている。操作盤１１８には、当該システム１０の図示しない電源スイッチや各種接続端子、計器類等が設けられている。当該圧力調整機器ユニット１４とポンプユニット１２とは、操作盤１１８を介して図示しないケーブル等で接続される。
【００５２】
次に、以上のように構成されるウォータージェットシステム１０の動作と作用効果について説明する。
【００５３】
例えば、コンクリートの床面等の被噴射面（被洗浄面、被除去面）Ｓに付着した放射性物質等を洗浄・除去する場合には、先ず、除染現場にシステム１０を構成する各機器を運搬する。この運搬時、当該システム１０では、ポンプユニット１２と圧力調整機器ユニット１４とをそれぞれ台車フレーム９２、１０４によって単独で移動可能に構成したことにより、各ユニット等が小型・軽量化され、人手によって各機器を容易に運搬することができるため、エレベータ等の輸送手段も有効に活用してビルの屋上等にも円滑に運搬することができる。所定の除染現場への運搬が終わると、次に、ガン１６、ポンプユニット１２、圧力調整機器ユニット１４及び吸引装置６８を、図１に示すようにそれぞれ接続し、作業準備が完了する。
【００５４】
除染現場では、ガン１６への超高圧水の供給機器であるポンプユニット１２及び圧力調整機器ユニット１４の電源をオンし、超高圧ポンプ１８によって所定の超高圧まで昇圧した水を圧力調整弁２０で所定圧力（例えば、１８０ＭＰａ）に調整し、ガン１６へと供給する。そこで、作業者は、ガン１６のグリップ３３を把持して、先端の洗浄水回収カバー４２（８０）の先端面６０ｃ（ブラシ部８１）をコンクリートの床面等の被噴射面Ｓに当接させ、被噴射面Ｓ上を滑らせながらレバー３０を適宜操作することにより、該被噴射面Ｓ上に付着している放射性物質等の汚染物質を洗浄・除去することができる。
【００５５】
この場合、本実施形態に係るシステム１０では、先端に備えたノズルヘッド３８（５６）の噴射ノズル４８から水を高圧で噴射するウォータージェットガン１６と、水を貯水するタンク７６、該タンク７６に貯水された水を昇圧する超高圧ポンプ１８、及び該超高圧ポンプ１８によって昇圧された水を所定圧力に調整する圧力調整弁２０を有し、該圧力調整弁２０で所定圧力に調整した水をウォータージェットガン１６に供給する供給機器（本実施形態では、ポンプユニット１２及び圧力調整機器ユニット１４）とを備える。そして、ウォータージェットガン１６には、ノズルヘッド３８を覆うことにより、噴射ノズル４８から被噴射面Ｓに対して噴射された水を回収する回収流路６４が形成された洗浄水回収カバー４２（８０）が装着され、洗浄水回収カバー４２（８０）の回収流路６４には、噴射ノズル４８から被噴射面Ｓへと噴射された水を吸引してタンク７６へと供給する吸引装置６８が接続され、さらに、圧力調整機器ユニット１４には、吸引装置６８からタンク７６へと供給される水に含まれる油分を除去する油分除去フィルタ７４が設けられている。
【００５６】
このように、当該システム１０によれば、噴射ノズル４８から被噴射面Ｓに対して噴射された水を回収する回収流路６４が形成された洗浄水回収カバー４２（８０）をウォータージェットガン１６に装着し、この回収流路６４に吸引装置６８を接続したことにより、噴射ノズル４８から被噴射面Ｓへと噴射された水（排水）が周囲に飛散することを防止しつつ、該排水を回収流路６４を介して吸引・回収して、タンク７６へと戻し、再び超高圧ポンプ１８から圧力調整弁２０を介してガン１６へと循環させることができる水の再利用循環サイクルが構築される。従って、システム１０全体としての使用水量を可及的に低減することができ、さらに、噴射後の排水によって周辺環境が二次汚染を受けることも防止できる。しかも、吸引装置６８からタンク７６へと供給される水に含まれる油分は、油分除去フィルタ７４で除去されるため、循環される水に含まれる油分量が過度に増加することがなく、各ホースや配管部等での目詰まり等の発生も抑制できる。
【００５７】
また、当該システム１０では、上記のように超高圧ポンプ１８及び圧力調整弁２０によってガン１６から噴射される水の圧力を、例えば１８０ＭＰａの超高圧とし、さらに、噴射ノズル４８からの吐出水量を１分間当たり３リットル以内程度の少量に設定することにより、極めて少ない水量であっても、高い吐出圧力によって被噴射面Ｓの表層を数ｍｍ程度削りながら除去することができ、高い除染能力を得ることができる。また、吐出水量が少なく設定できるため、吸引装置６８による排水の吸引回収も一層円滑なものとなり、排水の回収率を高めることができる。例えば、当該システム１０を用いることにより、最も除染が困難であると考えられるコンクリート土間やアスファルト道路において、１時間当たり約１５ｍ２以上の施工速度で放射性物質等の量を半分以下まで除去することができる。この際、吐出水量は、被噴射面Ｓの汚れ具合等により、例えば１分間当たり１〜３リットル程度の範囲で設定するとよい。
【００５８】
なお、本発明は、上記した実施形態に限定されるものではなく、本発明の主旨を逸脱しない範囲で自由に変更できることは勿論である。
【００５９】
例えば、上記実施形態では、ポンプユニット１２に超高圧ポンプ１８を搭載し、圧力調整機器ユニット１４に油分除去フィルタ７４、タンク７６及び圧力調整弁２０を搭載した構成を例示したが、これら各機器は、各ユニットに対して適宜変更配置しても勿論よく、これらポンプユニット１２と圧力調整機器ユニット１４とを一体型として構成してもよい。
【００６０】
また、ウォータージェットガン１６は、供給機器であるポンプユニット１２及び圧力調整機器ユニット１４から供給される超高圧水を外部に向けて所望の吐出圧力と吐出水量で噴射できる構成であればよく、上記実施形態で例示した構成以外であってもよいことは勿論である。
【符号の説明】
【００６１】
１０  ウォータージェットシステム
１２  ポンプユニット
１４  圧力調整機器ユニット
１６  ウォータージェットガン
１８  超高圧ポンプ
２０  圧力調整弁
３８、５６  ノズルヘッド
４２、８０  洗浄水回収カバー
４８  噴射ノズル
５８  基部
６０、８２  カバー部
６２  吸引ホース接続部
６４  回収流路
６８  吸引装置
７４  油分除去フィルタ
７６  タンク
８１  ブラシ部
【図１】
2014014777.tif 000003
【図２】
2014014777.tif 000004
【図３】
2014014777.tif 000005
【図４】
2014014777.tif 000006
【図５】
2014014777.tif 000007
【図６】
2014014777.tif 000008
【図７】
2014014777.tif 000009
【図８】
2014014777.tif 000010
【図９】
2014014777.tif 000011